(57)【要約】  【課題】  メディア収納ケースを衝撃から確実に保護するとともに、収納されるメディアの形状や大きさが変わってもメディアをケース内に繰り返し保持でき、経済性と利便性に優れたメディア収納ケースを提供する。  【解決手段】  ＣＤやＤＶＤ、ＭＤなどのメディアが収納されるプラスチックケース本体１１と、プラスチックケース本体１１の外側面又は内側面に一体に覆設されたエアクッション材１２とを有するようにメディア収納ケース１０を構成する。【選択図】  図１
2007001629.tif 000002
【特許請求の範囲】
【請求項１】
ＣＤやＤＶＤ、ＭＤなどのメディアが収納されるプラスチックケース本体と、前記プラスチックケース本体の外側面又は内側面に一体に覆設されたエアクッション材とを有することを特徴とするメディア収納ケース。
【請求項２】
前記エアクッション材が前記プラスチックケース本体に巻きつけられる延設部と、前記延設部に設けられ前記プラスチックケース本体に着脱自在に係止される面状ファスナと、を備えていることを特徴とする請求項１記載のメディア収納ケース。
【請求項３】
前記エアクッション材は樹脂シート間に多数配列された半球状や円盤状、直方体状の気体溜部を備えていることを特徴とする請求項１又は２に記載のメディア収納ケース。
【請求項４】
前記気体溜部には、芳香剤成分や殺菌剤成分が封入されていることを特徴とする請求項１〜３の内いずれか１項に記載のメディア収納ケース。
【請求項５】
前記エアクッション材に帯電防止剤が塗布されていることを特徴とする請求項１〜４の内いずれか１項に記載のメディア収納ケース。
【請求項６】
前記プラスチックケース本体に収納される円盤状のメディアがその表裏両面側に設けられたエアクッション材により挟圧保持されていることを特徴とする請求項１〜５の内いずれか１項に記載のメディア収納ケース。
【発明の詳細な説明】
【技術分野】
【０００１】
本発明はＣＤやＭＤなどのメディアを収納するための耐衝撃性に優れたメディア収納ケースに関する。
【背景技術】
【０００２】
従来、ＣＤやＭＤなどの傷つき易い情報記録媒体メディアを収納してこれを持ち運んだり保管したりするための収納ケースには、プラスチック製や紙製などのものが用いられていた。このような収納ケースの携帯中におけるメディアの保護性や、収納ケース制作における経済性、利便性などを改良するために、例えば以下のような技術が知られている。
特許文献１には、ＣＤ：コンパクトディスク、ＦＤ：フロッピディスク(登録商標）等の情報記録媒体と同じ高さにした芯板を裏側外装板上に重合貼着することにより、該情報記録媒体を収容する収容凹処を形成して、上記芯板上に収容凹処を開閉する蓋片を切込み成形した表側外装板を重合貼着していることを特徴とする情報記録媒体収容ケースが記載されている。
特許文献２には、ＦＤを包装紙の第１領域に保持し、この第１領域を第２領域に重ねるように折曲し、さらに第３領域を第１領域に重ねるように折り曲げ、第３領域の差し込み片を第２領域の切込みに差し込んで包装状態とするようにしたＦＤのパッケージ構造が記載されている。
【特許文献１】実用新案登録第３０４７３３５号公報
【特許文献２】実開平６−５９２９１号公報
【発明の開示】
【発明が解決しようとする課題】
【０００３】
しかしながら、前記特許文献に記載の従来の技術のものでは以下のような課題があった。
特許文献１に記載の情報記録媒体収容ケースでは、メディアとこれを収容する収容凹処との間に隙間ができ両者が密着していないことで衝撃に耐えられず収納しているメディアやケース自体が破損してしまう恐れがあった。
特許文献２に記載のＦＤのパッケージ構造は、紙製の素材などを用いてメディアを宅配便などで送る場合の経済性を向上するものではあるが、メディアの種類毎にその形状や大きさに合わせたものが必要である上に前記同様に収容されたメディアを確実に固定保持できないという問題があった。
【０００４】
本発明は前記従来の課題を解決するためになされたもので、メディア収納ケースを衝撃から確実に保護するとともに、収納されるメディアの形状や大きさが変わってもメディアをケース内に繰り返し保持して用いることができ、経済性と利便性に優れたメディア収納ケースを提供することを目的とする。
【課題を解決するための手段】
【０００５】
（１）前記従来の課題を解決するためになされた本発明のメディア収納ケースは、ＣＤやＤＶＤ、ＭＤなどのメディアが収納されるプラスチックケース本体と、前記プラスチックケース本体の外側面又は内側面に一体に覆設されたエアクッション材とを有することを特徴とする。
【０００６】
（２）本発明のメディア収納ケースは、前記（１）において、前記エアクッション材が前記プラスチックケース本体に巻きつけられる延設部と、前記延設部に設けられ前記プラスチックケース本体に着脱自在に係止される面状ファスナと、を備えていることにも特徴を有する。
【０００７】
（３）本発明のメディア収納ケースは、前記（１）又は（２）（２）おいて、前記エアクッション材は樹脂シート間に多数配列された半球状や円盤状、直方体状の気体溜部を備えていることにも特徴を有している。
【０００８】
（４）本発明のメディア収納ケースは、前記（１）〜（３）において、前記気体溜部には、芳香剤成分や殺菌剤成分が封入されていることにも特徴を有している。
【０００９】
（５）本発明のメディア収納ケースは、前記（１）〜（４）において、前記エアクッション材に帯電防止剤が塗布されていることにも特徴を有している。
【００１０】
（６）本発明のメディア収納ケースは、前記（１）〜（５）において、前記プラスチックケース本体に収納される円盤状のメディアがその表裏両面側に設けられたエアクッション材により挟圧保持されていることにも特徴を有している。
【発明の効果】
【００１１】
本発明によれば、メディアが収納されるプラスチックケース本体の外側面又は内側面に一体に覆設されたエアクッション材とを有するので、メディア収納ケース及び内部に収納されたメディアを外部からの衝撃に対して確実に保護することができる。
【発明を実施するための最良の形態】
【００１２】
本実施形態のメディア収納ケースは、ＣＤやＤＶＤ、ＭＤなどのメディアが収納されるプラスチックケース本体と、前記プラスチックケース本体の外側面又は内側面に一体に覆設されたエアクッション材とを有するように構成されている。このプラスチックケース本体を覆うエアクッション材によって、外部からの衝撃が確実に緩和されるのでメディア収納ケース及び内部に収納されたメディアを保護することができる。
【００１３】
プラスチックケース本体は、ポリプロピレン樹脂や、ポリエチレンテレフタレート樹脂などの比較的硬質の合成樹脂を素材として、全体が略矩形板状に形成され、その一端部側の回動軸を支点として開閉する蓋部を備え、その開放された内部にＣＤやＭＤなどの円盤状のメディアが収納できるようになっている。
【００１４】
エアクッション材は、例えばポリエチレン樹脂シートの間に空気を気泡状に分散させた状態に閉じ込めて形成したシート状気泡緩衝材であり、所定の空気弾力性と柔軟性を有したものが適用できる。このようなエアクッション材をプラスチックケース本体の面の一部又は全部に接着剤を用いる接着手段や加熱圧着による熱融着手段などによって一体的に覆設されるようにしている。
【００１５】
前記エアクッション材が前記プラスチックケース本体に巻きつけられる延設部と、前記延設部に設けられ前記プラスチックケース本体に着脱自在に係止される面状ファスナと、を備えるようにすることもできる。この場合には、プラスチックケース本体に一体に設けられたエアクッション材の延設部をケース本体に巻き付けて係止できる上に、何度も繰り返して使用することができる。なお、エアクッション材の延設部をケース本体のメディア取り出し口となる蓋開放端側に設けることができるので、この面状ファスナによってこれを封止して、メディア収納ケースの搬送中にケース本体から内部に収納されたメディアが不用意に出てしまうのを防止することができる。
【００１６】
さらに本実施の形態のメディア収納ケースは、前記エアクッション材は樹脂シート間に多数配列された半球状や円盤、直方体状の気体溜部を備えることもできる。これによって、所定の空気弾力性や柔軟性、デザイン性をメディア収納ケースのプラスチックケース本体に付与することができる。
【００１７】
また、前記気体溜部には、芳香剤成分や殺菌剤成分を封入しておくこともできる。これによって、必要に応じて気体溜部を押し潰して封入されたガスを周囲に放散させることで、ＣＤやＭＤの内容や種類などを表すための識別用マーカとしたり、保管中のカビの発生などを防止したりすることができその利便性を向上させることができる。
芳香剤成分としては、例えば、テルペン系，芳香族系，脂肪族系，精油微量成分および天然フレーバーの類似化合物などを適用することができる。
殺菌剤成分としては、例えば、エタノールなどのアルコール類や植物のエキス成分などを適用することができる。
【００１８】
さらに、前記エアクッション材に帯電防止剤を塗布しておくこともできる。これによって、埃やごみがその表面に付着するのを抑止して、ケース自体の光沢や美観が損なわれたり、付着したごみによってメディア取り出しの際に傷や障害などが生じたりするのを効果的に防止できる。
このような帯電防止剤としては、例えば、アルキルリン酸エステル類や第４級アンモニウム塩等のカチオン系帯電防止剤、ポリエチレングリコールの付加されたノニオン系帯電防止剤などを適用することができる。
【００１９】
また、前記プラスチックケース本体に収納される円盤状のメディアがその表裏両面側に設けられたエアクッション材により挟圧保持されるようにすることもできる。このエアクッション材に空気を圧入することによって、メディア収納ケースに異なる形状や大きさのメディアであっても、空気圧による衝撃吸収性を有したエアクッション材を用いてプラスチックケース本体内にメディアを確実に保持することができる。
【００２０】
（実施の形態１）
図１は実施の形態１に係るメディア収納ケースの使用形態を示す斜視図であり、図２はメディアを保持したメディア収納ケースの側面断面図である。以下図面を参照しながら実施の形態１のメディア収納ケースについて説明する。
図１及び図２において、１０は実施の形態１のメディア収納ケース、１１はＣＤやＤＶＤ、ＭＤ、ＦＤなどのメディアが収納される略矩形板状のプラスチックケース本体、１２はプラスチックケース本体１１の外側面に渡って一体に覆設されるエアクッション材、１３はエアクッション材１２がプラスチックケース本体１１の蓋開放端に向かって延長して設けられた延設部、１４は延設部１３に設けられプラスチックケース本体１１に着脱自在に係止される面状ファスナ、１５はエアクッション材１２の樹脂シート面に多数配列して形成された略円盤状の気体溜部である。
メディア収納ケース１０は、ＣＤやＤＶＤなどの情報記録媒体となるメディアＭが収納され、その内部矩形板状にはメディア中央に形成された固定孔に嵌合するためのメディア固定部１１ｄが設けられている。
プラスチックケース本体１１は、ポリエチレン樹脂やポリカーボネイト樹脂などの硬質樹脂を素材として射出成形などによって成形され、ＣＤなどのメディアＭを収納するための略矩形状のメディア収納部１１ａと、メディア収納部１１ａ一辺側の軸部１１ｂにその基部が回動自在に取り付けられて収納されたメディアＭを保護するための周縁を有した蓋部１１ｃとを備えている。
【００２１】
エアクッション材１２は、軟質のポリエチレン樹脂シートに円盤状の気体溜部１５が多数配列された略矩形状に裁断された衝撃緩衝材であり、開閉される蓋部１１ｃの先端からメディア収納部１１ａの底部に渡って接着材を介して固定されており、その基端側が１０〜５０ｍｍの幅で延長された延設部１３を備えている。
延設部１３の中央位置及び、これに対応する蓋部１１ｃにはそれぞれ例えばマジックテープ（登録商標）などの面状ファスナ１４が配置されている。図１（ｂ）に示すように閉止状態の蓋部１１ｃの上にエアクッション材１２の延設部１３を巻き付けるようにすることで、面状ファスナ１４を介して延設部１３及び蓋部１１ｃを接着固定してメディアＭが保持されたメディア収納ケース１０を保護できるようになっている（図１（ｃ）参照）。
【００２２】
なお、エアクッション材１２としては、エアクッション性がありさえすれば特にその素材にこだわらないが、コスト面や印刷適性から発泡シートを用いることもできる。例えば、外面側から熱可塑性樹脂の発泡層、紙を主体とする基材層、熱可塑性樹脂層を備えてなる発泡シートを使用し、この発泡シートの発泡層がメディアの記録面に当接するように重ねる。さらにこの発泡シートにおける発泡層と基材層との間に透明樹脂層を設けることで全体的に均一な発泡層が得られる。また、基材層と透明樹脂層との間、或いは発泡層と透明樹脂層との間に印刷層を設けてもよい。
【００２３】
図２に示すようにメディア収納ケース１０のその外周囲が気体溜部１５を有したエアクッション材１２でカバーされているので、エアクッション材１２により外部からの衝撃を吸収してメディアＭを確実に保護することができる。
また、ＣＤなどのメディアを郵送する場合、硬質のプラスチックケース本体１１が破損したりメディアＭの記録面が傷ついたりしないようにするとともに、メディア収納ケース１０を封筒などに入れて送ることができ、安価にしかも安全に送ることができる。すなわち、メディアが収納されるプラスチックケース本体の外側面又は内側面に一体に覆設されたエアクッション材を有するので、メディア収納ケース及び内部に収納されたメディアを外部からの衝撃に対して確実に保護することができる。さらに、エアクッション材１２の延設部１３にプラスチックケース本体１１に着脱自在に係止される面状ファスナ１４を備えるので、延設部１３をケース本体に巻き付けるだけで簡単に係止できる上に、何度も繰り返して使用することができる。また、この面状ファスナ１４によってメディア収納ケース１０の蓋部１１ｃが係止されるので、搬送中に内部に収納されたメディアが不用意に出てしまうのを効果的に防止できる。
実施の形態１のメディア収納ケース１０は、エアクッション材１２の面に設けた多数の気体溜部１５によって所定の空気弾力性やデザイン性をメディア収納ケース１０に付与することができ、使い勝手がよくメディア保護性に優れたメディア収納ケースとすることができる。
【００２４】
（実施の形態２）
図３は実施の形態２に係るメディア収納ケースの側面断面図である。図３において、２０は実施の形態２のメディア収納ケース、２１はメディアＭが収納される略矩形板状のプラスチックケース本体、２２はプラスチックケース本体２１の内側面に渡って一体に覆設されるエアクッション材である。
メディア収納ケース２０はＣＤやＤＶＤなどの情報記録媒体となるメディアＭが収納され、そのプラスチックケース本体２１は、ポリエチレン樹脂やポリカーボネイト樹脂などの硬質樹脂を素材として射出成形などによって成形されている。その内部中央にはメディアに形成された固定孔に嵌合するためのメディア固定部２１が設けられる。
エアクッション材２２はシート状のものを所定サイズに裁断して、蓋部を有して開閉自在に構成されたプラスチックケース本体２１の内面に接着手段又は熱圧着手段を介して覆設して用いることができる。
【００２５】
エアクッション材２２は、シート状の少なくとも片面にクッション性を有しているのが望ましい。ここではエアクッション材２２として発泡シートが適用されている。発泡シートは紙などを基材として表面側及び裏面側が熱可塑性樹脂で覆われている。基材となる紙や合成樹脂板は、例えばその坪量が１００〜４００ｇ／ｍ2の範囲で、含水率が３〜１０％の範囲にあることが好ましい。そして、加熱により基材中の水分を蒸発させ、その蒸気圧の力で表面側の熱可塑性樹脂を発泡させる。熱可塑性樹脂としては、ポリエチレン樹脂、ポリプロピレン樹脂、ポリエステル樹脂、ポリ塩化ビニール樹脂、ポリスチレン樹脂などが使用される。この熱可塑性樹脂は、印刷などが施された基材の表と裏の両面に積層される。積層方法には、樹脂を熱溶融して塗布する押出しコーティング法、或いはフィルムになったものを貼り合わせるラミネート法などがある。発泡層となる表面の熱可塑性樹脂の厚さは、１０〜５０μｍの範囲が好ましい。一方、裏面の熱可塑性樹脂層の厚さは特に限定されない。こうしてシートを使用するサイズに打ち抜き、それを加熱することで基材中の水分が蒸発し、その蒸気圧と空気の熱膨張とにより表面の熱可塑性樹脂層に発泡構造が生成される。加熱手段としては、熱風、赤外線、遠赤外線、マイクロ波、高周波などによる方法を適用できる。
【００２６】
実施の形態２のメディア収納ケース２０は、メディアＭにエアクッション材２２が当接して支持しているので運搬中にケース内部のメディアＭが振動しても、自らを傷つけるようなことがなく、メディアＭを直接的に保護することできる。また、メディア収納ケース２０に郵送先などをラベル貼付して送ることも可能であり、これによって、メディアを郵送する際などにおける過剰な包装を回避して、郵送コストなどを低減することもできる。
【００２７】
（実施の形態３）
図４は実施の形態３に係るメディア収納ケースの側面断面図である。図４において、３０は実施の形態３のメディア収納ケース、３１は略矩形板状のプラスチックケース本体、３２はプラスチックケース本体２１の内側面に渡って一体に覆設された多数の気体溜部３３が配列されて構成されたエアクッション材である。
エアクッション材３２は収容されるメディアＭの両面に渡って当接するようにプラスチックケース本体３１の内面に配置されており、メディアＭの形状や大きさなどが多少変化してもこれを挟圧して安定に保持することができるようになっている。プラスチックケース本体３１はその素材として、比較的硬質のポリプロピレンやポリカーボネイト、ポリエチレンテレフタレートなどのプラスチックが適用される他に、例えば自然環境中で生分解可能な素材として、ポリ乳酸、ポリブチレンサクシネート、ポリカプロラクトンなどを含む生分解性プラスチックや、再生樹脂などを適用することも可能である。これによって、省資源性に優れ環境問題にも配慮したものとすることができる。特に再生樹脂を用いた場合には、資源の有効利用を図ることができ、生分解性樹脂を用いた場合には、土中などにそのまま廃棄することもでき、使用後の廃棄処理が容易になると共に、環境汚染などを回避できる。
【００２８】
なお、エアクッション材３２の気体溜部３３には、芳香剤や殺菌剤成分などを含むガスや揮発成分を封入させておくこともできる。これによって、ユーザーが必要に応じて、この気体溜部３２のいくつかを押し潰すことで、これらのガス成分を放出させることができる。従って、例えば、メディアを長期保管する場合に、殺菌剤成分や抗菌剤成分を含む気体溜部３３を破っておくことで、かびなどの発生を抑止することができる。また、気体溜部３３にＣＤなどに含まれる曲名に相応しい香り成分を含ませておき、その気分を演出したり、その曲名やジャンル毎に異なる芳香剤成分を仕込んでおくことで視覚障害者などがそのメディアを扱う際の識別用マーカとして利用したりすることも可能である。
【００２９】
実施の形態３のメディア収納ケース３０は、以上のように構成されているので前記実施の形態１及び実施の形態２の作用に加えて、その構造が簡単でありメディア収納ケースの製造における生産生やデザイン性にも優れるとともに、種類やサイズの異なるメディアにも対応できる汎用性を有している。
【００３０】
（実施の形態４）
図５は実施の形態４に係るメディア収納ケースの側面断面図である。図５において、４０は実施の形態４のメディア収納ケース、４１はメディアＭが収納されるように開閉自在に形成された略矩形板状のプラスチックケース本体、４２、４３はプラスチックケース本体４１の表裏内側面に渡ってそれぞれ一体に覆設され空気層を有して中心側に膨出して形成された上下一対のエアクッション材である。
エアクッション材４２、４３は例えば、ポリエチレン樹脂シートなどの四辺がプラスチックケース本体４１の隅部に接着固定されて、その中央部が内側に膨出するように保持された緩衝材であり、これらを対向して配置することで収納されるメディアＭをその両面側から柔らかく押圧して保持できるようにしている。なお、プラスチックケース本体４１の外側を実施の形態１のように気体溜部が多数配列されたエアクッション材で覆設するようにして、メディア収納ケース４０の耐久性をさらに高めることもできる。
【００３１】
（実施の形態５）
図６は実施の形態５に係るメディア収納ケースの側面断面図である。図６において、５０は実施の形態５のメディア収納ケース、５１はメディアＭが収納されるように開閉自在に形成された略矩形板状のプラスチックケース本体、５２プラスチックケース本体４１の表内側面に渡って一体に覆設され空気層を有して中心側に膨出して形成されたエアクッション材、５３はプラスチックケース本体５１の内底面側に覆設された気体溜部や気泡層を有してシート状に形成されたエアクッション材、５４はエアクッション材５２に空気を圧入するための逆止弁である。
エアクッション材５２はポリエチレン樹脂シートなどの四辺がプラスチックケース本体４１の隅部に接着固定されて、その中央部が内側に膨出するように保持された緩衝材であり、これに対向して配置されたエアクッション材５３とにより、収納されるメディアＭをその両面側から挟圧して保持することができる。
エアクッション材５２には、必要に応じて設けられた逆止弁５４を介して空気を吹き込むことによって、異なる形状のものであってもメディアＭへの押圧力を適宜調整できるようになっている。こうして、実施の形態５のメディア収納ケース５０は、その携行中におけるメディア保護性や汎用性などを有している。
【図面の簡単な説明】
【００３２】
【図１】実施の形態１のメディア収納ケース使用形態を示す斜視図である。
【図２】メディアを保持したメディア収納ケースの側面断面図である。
【図３】実施の形態２に係るメディア収納ケースの側面断面図である。
【図４】実施の形態３に係るメディア収納ケースの側面断面図である。
【図５】実施の形態４に係るメディア収納ケースの側面断面図である。
【図６】実施の形態５に係るメディア収納ケースの側面断面図である。
【符号の説明】
【００３３】
１０  実施の形態１のメディア収納ケース
１１  プラスチックケース本体
１１ａ  メディア収納部
１１ｂ  軸部
１１ｃ  蓋部
１１ｄ  メディア固定部
１２  エアクッション材
１３  延設部
１４  面状ファスナ
１５  気体溜部
２０  実施の形態２のメディア収納ケース
２１  プラスチックケース本体
２２  エアクッション材
３０  実施の形態３のメディア収納ケース
３１  プラスチックケース本体
３２  エアクッション材
３３  気体溜部
４０  実施の形態４のメディア収納ケース
４１  プラスチックケース本体
４２、４３  エアクッション材
５０  実施の形態５のメディア収納ケース
５１  プラスチックケース本体
５２  エアクッション材
５３  エアクッション材
５４  逆止弁
【図１】
2007001629.tif 000003
【図２】
2007001629.tif 000004
【図３】
2007001629.tif 000005
【図４】
2007001629.tif 000006
【図５】
2007001629.tif 000007
【図６】
2007001629.tif 000008